(57)【要約】【課題】上記従来のスカートまたはパンツタイプの衣服はサスペンダーを使用しなくてはならないが、首にかけたサスペンダーはベルトのゴム部分が硬くペットにとって不快である。また、サスペンダーのゴム部やクリップ式の金具等で、肌の弱いペットは皮膚がかぶれてしまうという欠点がある。本発明は前記の欠点を除くようにしたペット用衣服を提供する。【解決手段】本発明のペット用衣服は、スカート部２またはパンツ部１５の腰位置部分６に、一本の帯状の紐部１の一端部３と他端部４を固定し、衣服本体から前方に伸びる半楕円形の紐ループを構成する、そしてこの上記帯状の紐ループの先端部５と上記一端部３との間に、分離可能な一対の接続部材の一方７を取り付け、また上記帯状の紐ループの先端部５と上記多端部４との間にも上記接続部材の他方８を取り付けたことからなる。【選択図】図１
2010220583.tif 000002
【特許請求の範囲】
【請求項１】
布地、面繊維、不織布、等を裁断して製作したスカート部、またはパンツ部に、布地等で作られた一本の帯状の紐を半楕円形にして帯の両端を上記スカート部またはパンツ部に接続させたペット用衣服であって、一本の帯状の紐の一端部を衣服本体に固定するともに、この紐の他端部も衣服本体に固定し、衣服本体から前方に伸びる半楕円形の紐ループを構成する、そしてこの上記帯状の紐ループの先端部と上記一端部との間に、分離可能な一対の接続部材の一方を取り付けるとともに、上記帯状の紐ループの先端部と上記多端部との間にも上記接続部材の他方を取り付けたことを特徴とするペット用衣服。
【請求項２】
上記布地等で作られた一本の帯状の紐ループ部と、上記スカート部またはパンツ部との固定部分がボタン、ホック、スナップ等で取り外し可能の接続部素子を有することを特徴とする請求項１記載のペット用衣服。
【請求項３】
上記スカート部またはパンツ部に、尻尾挿通部を更に設けたことを特徴とする請求項１または２記載のペット用衣服。
【発明の詳細な説明】
【技術分野】
【０００１】
本発明はペット用衣服、特に布地等で作られた一本の帯状の紐部と、スカート部またはパンツ部とよりなるペット用衣服に関するものである。
【背景技術】
【０００２】
従来のペット用衣服としては、図６に示すように、両後足挿通部１６と尻尾挿通部１７と胴後部挿通部１８とを有するパンツ部１５と、上記パンツ部１５の胴後部挿通部１８の縁部に設けたウエストベルト１９と、上記ウエストベルト１９に固定した、首に吊るして上記パンツ部１５を腰に固定するサスペンダー２０とよりなるパンツタイプの衣服がある。
【０００３】
上記のようなパンツタイプのペット用衣服としては、例えば、特許文献１がある。
【先行技術文献】
【特許文献】
【０００４】
【特許文献１】特開平９−１４０２８７号公報
【発明の概要】
【発明が解決しようとする課題】
【０００５】
しかし、上記従来のスカートまたはパンツタイプの衣服はサスペンダーを使用しなくてはならないが、首にかけたサスペンダーはベルトのゴム部分が硬くペットにとって不快である。また、サスペンダーのゴム部やクリップ式の金具等で、肌の弱いペットは皮膚がかぶれてしまうという欠点がある。
【０００６】
本発明は前記の欠点を除くようにしたものである。
【課題を解決するための手段】
【０００７】
本発明のペット用衣服は、布地、面繊維、不織布、等を裁断して製作したスカート部、またはパンツ部に、布地等で作られた一本の帯状の紐を半楕円形にして帯の両端を上記スカート部またはズボン部に接続させたペット用衣服であって、上記一本の帯状の紐の一端部を衣服本体に固定するともに、この紐の他端部も衣服本体に固定し、衣服本体から前方に伸びる半楕円形の紐ループを構成する、そしてこの上記帯状の紐ループの先端部と上記一端部との間に、分離可能な一対の接続部材の一方を取り付けるとともに、上記帯状の紐ループの先端部と上記多端部との間にも上記接続部材の他方を取り付けたことを特徴とする。
【０００８】
また、本発明のペット用衣服は、上記布地等で作られた一本の帯状の紐ループ部と、上記スカート部またはパンツ部の固定部分がボタン、ホック、スナップ等で取り外し可能の接続部素子を有することを特徴とする。
【０００９】
また、本発明の上記スカート部またはパンツ部に、尻尾挿通部を更に設けたことを特徴とする。
【発明の効果】
【００１０】
本発明は次のような効果を奏する。本発明のペット用衣服によれば、サスペンダーではなく布地等で作られた一本の帯状の紐で上記スカート部またはパンツ部をずれない様に固定するため、固定素材自体が柔らかくペットへの負担が少ない。また、夏場の気温が高い時期など、スカートまたはパンツのみを着せることが可能となる。また、上着を重ね着する事も可能である。上着を重ね着した場合でも、汚れた上着部分だけ洗濯し、また買い替え可能なため衛生的かつ経済的である。また、あらゆるデザインの上着部分と上記スカート部またはパンツ部との組み合わせが可能となるので、ペット用衣服のファッション性が向上し、組み合わせを楽しめるという大きな利益がある。
【図面の簡単な説明】
【００１１】
【図１】本発明のペット用衣服の説明用平面図である。
【図２】本発明のペット用衣服の説明用立体図である。
【図３】本発明のペット用衣服をペットに着せた状態を示す説明用俯瞰図である。
【図４】本発明のペット用衣服をペットに着せた状態を示す説明用側面図である。
【図５】本発明のペット用衣服のパンツ部実施例の説明用平面図である。
【図６】従来の他のペット用衣服をペットに着せた状態を示す説明用側面図である。
【発明を実施するための形態】
【００１２】
以下図面によって本発明の実施例を説明する。
【実施例１】
【００１３】
本発明のペット用衣服は、図１〜５図に示すように、布地、面繊維、不織布、等を裁断して製作したスカート部２と、またはパンツ部１５に、布地等で作られた一本の帯状の紐部１を、半楕円形にして帯の両端を上記スカート部２またはパンツ部１５の腰位置部分６に接続させたペット用衣服であって、上記一本の帯状の紐部１の一端部３を衣服本体に固定するとともに、この紐の他端部４も衣服本体に固定し、衣服本体から前方に伸びる半楕円形の紐ループを構成する、そしてこの上記帯状の紐ループの先端部５と上記一端部３との間に、分離可能な一対の接続部材の一方７を取り付けるとともに、上記帯状の紐ループの先端部５と上記多端部４との間にも上記接続部材の他方８を取り付けたことからなる。
【００１４】
また、ペットの前首周り部１３から、上記帯状の紐ループの先端部５を後ろ首周り部に向って引っ掛け、上記帯状の紐ループの左側部１１と右側部１２をペットの背中中央部１４に持って行き合わせ、ボタン、ホック、スナップ等の接続部素子よりなる接続部７と８で固定し、その固定部分以降の両端を帯が交差しないよう左右に分け、上記スカート部２またはパンツ部１５の腰位置部分６に、上記一端部３と上記多端部４が縫い付け等により固定されていることからなる。
【００１５】
また、上記布地等で作られた一本の帯状の紐部１と、上記スカート部２またはパンツ部１５の腰位置部分６との固定部分、すなわち上記一端部３及び上記多端部４と腰位置部分６との固定部分は、ボタン、ホック、スナップ等の取り外し可能の接続部素子を有してもよい。この場合、ボタン、ホックの受け側を複数設け、長さを調節してもよい。
【００１６】
また、上記スカート部２またはパンツ部１５の、腰位置部分６の両端にある接続部９は、ボタン、ホック、スナップ、マジックテープ（登録商標）等の接続部素子よりなってもよい。
【００１７】
また、上記スカート部２またはパンツ部１５の、腰位置部分６の片側に接続されている紐部１０の素材は紐、伸縮性のあるレース、帯状の紐、ベルト等よりなってもよい。
【００１８】
また、図６の示すように、上記スカート部２またはパンツ部１５に、尻尾挿通部１７を更に設けてもよい。
【００１９】
また、上記帯状の紐ループの先端部５と、上記帯状の紐ループの両端接続部との間にある、分離可能な一対の接続部材７と８は、二箇所以上設けてもよい。
【００２０】
また、サスペンダーではなく布地等で作られた一本の帯状の紐で上記スカートまたはパンツをずれない様に固定するため、固定素材自体が柔らかくペットへの負担が少ない。また、夏場の気温が高い時期など、スカートまたはパンツのみを着せることが可能となる。
【００２１】
また、上着を重ね着する事も可能であり、上着を重ね着した場合でも、汚れた上着部分だけ洗濯し、また買い替え可能なため衛生的かつ経済的である。また、あらゆるデザインの上着部分と上記スカートまたはパンツとの組み合わせが可能となるので、ペット用衣服のファッション性が向上する。
【符号の説明】
【００２２】
１  布地等で作られた一本の帯状の紐部分
２  スカート部
３  一端部
４  他端部
５  帯状の紐ループの先端部
６  上記スカート部２またはパンツ部１５の腰位置部分
７  接続部材の一方
８  接続部材の他方
９  腰位置部分６の両端にある接続部
１０  腰位置部分６の片側に接続されている紐部分
１１  帯状の紐ループの左側部
１２  帯状の紐ループの右側部
１３  前首周り部
１４  背中中央部
１５  パンツ部
１６  両後足挿通部
１７  尻尾挿通部
１８  胴後部挿通部
１９  ウエストベルト
２０  サスペンダー
【図１】
2010220583.tif 000003
【図２】
2010220583.tif 000004
【図３】
2010220583.tif 000005
【図４】
2010220583.tif 000006
【図５】
2010220583.tif 000007
【図６】
2010220583.tif 000008
【手続補正書】
【提出日】平成21年7月15日(2009.7.15)
【手続補正１】
【補正対象書類名】特許請求の範囲
【補正対象項目名】請求項１
【補正方法】変更
【補正の内容】
【請求項１】
布地、面繊維、不織布を裁断して製作したスカート部、またはパンツ部に、布地、面繊維で作られた一本の帯状の紐の両端を上記スカート部またはパンツ部の腰部に接続させたペット用衣服であって、一本の帯状の紐の一端部を衣服本体の腰部に固定するともに、この紐の他端部も衣服本体の腰部に固定し、衣服本体から前方に伸びるU字形状の紐ループを構成する、そしてこの上記帯状の紐部の一端部から他端部までの中間距離地点と、上記一端部との間に、分離可能な一対の接続部材の一方を取り付けるとともに、上記帯状の紐部の一端部から他端部までの中間距離地点と、上記他端部との間にも上記接続部材の他方を取り付けたことを特徴とするペット用衣服。
【手続補正２】
【補正対象書類名】特許請求の範囲
【補正対象項目名】請求項２
【補正方法】変更
【補正の内容】
【請求項２】
上記布地、面繊維で作られた一本の帯状の紐ループ部と、上記スカート部またはパンツ部との固定部分がボタン、ホック、スナップで取り外し可能の接続部素子を有することを特徴とする請求項１記載のペット用衣服。
【手続補正書】
【提出日】平成21年8月26日(2009.8.26)
【手続補正１】
【補正対象書類名】特許請求の範囲
【補正対象項目名】請求項１
【補正方法】変更
【補正の内容】
【請求項１】
布地、面繊維、又は不織布を裁断して製作したスカート部、又はパンツ部に、布地、又は面繊維で作られた一本の帯状の紐の両端を上記スカート部、又はパンツ部の腰部に接続させたペット用衣服であって、一本の帯状の紐の一端部を衣服本体の腰部に固定するともに、この紐の他端部も衣服本体の腰部に固定し、衣服本体から前方に伸びるU字形状の紐ループを構成する、そしてこの上記帯状の紐部の一端部から他端部までの中間距離地点と、上記一端部との間に、分離可能な一対の接続部材の一方を取り付けるとともに、上記帯状の紐部の一端部から他端部までの中間距離地点と、上記他端部との間にも上記接続部材の他方を取り付けたことを特徴とするペット用衣服。
【手続補正２】
【補正対象書類名】特許請求の範囲
【補正対象項目名】請求項２
【補正方法】変更
【補正の内容】
【請求項２】
上記布地、又は面繊維で作られた一本の帯状の紐ループ部と、上記スカート部、又はパンツ部との固定部分がボタン、ホック、又はスナップで取り外し可能の接続部素子を有することを特徴とする請求項１記載のペット用衣服。